(57)【要約】  【課題】  マルチポイントシステムにおける特定パターンによる誤動作を防ぎ、モデムの品質の向上を図ることが可能な変復調装置を提供する。  【解決手段】  送信部に白色ノイズを出力することの出来るノイズ発信部１０と、受信の品質レベルを測る品質検出回路９、及び変調部２とノイズ発信部１０と切り換える回路１１を有することにより、マルチポイントシステムにおける特定パターンによる誤動作を防ぐことを特徴とする。【選択図】図１
2007081912.tif 000002
【特許請求の範囲】
【請求項１】
送信部に白色ノイズを出力することの出来るノイズ発信部と、受信の品質レベルを測る品質検出回路、及び変調部と前記ノイズ発信部と切り換える回路を有することにより、マルチポイントシステムにおける特定パターンによる誤動作を防ぐことを特徴とする変復調装置。
【発明の詳細な説明】
【技術分野】
【０００１】
本発明は、変復調装置に関するものである。
【背景技術】
【０００２】
図２は、従来の変復調装置のブロック構成を示した図である。図２において、１は変復調装置（以下モデムと称す）、２は変調部（ＭＯＤ）、３は制御部（ＣＯＮＴ）、４は送信アッテネータ（ＡＴＴ）、５は送信ライン、６は復調部（ＤＥＭ）、７は自動等化器（ＡＧＣ）、８は受信ライン、９は、品質検出回路（ＳＱＤＥＴ）を示す。
【０００３】
図３は、マルチポイントシステムの構成を示した図である。図３において、１２はマスターモデム（Ｍ−ＭＯＤＥＭ）、１３はスレーブモデム（Ｓ−ＭＯＤＥＭ）を示す。
【０００４】
従来においては、図３に示すマスターモデム（Ｍ−ＭＯＤＥＭ）１２，スレーブモデム（Ｓ−ＭＯＤＥＭ）１３の内部構成が、上記図２である。
【０００５】
従来、図３のマルチポイントシステムにおいて、マスターモデム（Ｍ−ＭＯＤＥＭ）１２からスレーブモデム（Ｓ−ＭＯＤＥＭ）１３へのデータくだり方向はキャリアを常時出力状態で運用される。
【０００６】
一方スレーブモデム（Ｓ−ＭＯＤＥＭ）１３からマスターモデム（Ｍ−ＭＯＤＥＭ）１２へのデータの登り方向は、マスターモデム（Ｍ−ＭＯＤＥＭ）１２からのデータに含まれるスレーブモデム（Ｓ−ＭＯＤＥＭ）１３の指定アドレスに従い、自局アドレスの番号が指定されたときのみ、スレーブモデム（Ｓ−ＭＯＤＥＭ）１３からマスターモデム（Ｍ−ＭＯＤＥＭ）１２へデータを送信する。
【０００７】
この場合スレーブモデム（Ｓ−ＭＯＤＥＭ）１３が一旦発散状態になると（回線品質が悪くなると）自己復旧が出来なくなる。
【０００８】
そのためトレーニング循環方式というマスターモデム（Ｍ−ＭＯＤＥＭ）１２からトレーニング信号を受信し、図２に示す自動等化器（ＡＧＣ）７を再等化する必要がある。以下にその動作を説明する。
【０００９】
図３に示すようにスレーブモデム（Ｓ−ＭＯＤＥＭ）１３において受信ライン８から受信されるデータは、スレーブモデム（Ｓ−ＭＯＤＥＭ）１３内の図２に示す自動等化器（ＡＧＣ）７で等化され復調部（ＤＥＭ）６に送信され復調される。
【００１０】
一方自動等化器（ＡＧＣ）７からの情報により品質検出回路（ＳＱＤＥＴ）９によって回線の品質を検知する。その情報を制御部（ＣＯＮＴ）３へ送信し、制御部（ＣＯＮＴ）３において、図３に示すスレーブモデム（Ｍ−ＭＯＤＥＭ）１３が発散状態であることを検知して、復調部２から連続するトレーニング信号を、送信アッテネータ（ＡＴＴ）４を介して送信ライン５から、図３に示すマスターモデム（Ｍ−ＭＯＤＥＭ）１２へ送信する。
【００１１】
図３に示すマスターモデム（Ｍ−ＭＯＤＥＭ）１２においては、受信ライン８から連続のトレーニング信号を受信する。受信した連続トレーニング信号は、マスターモデム（Ｍ−ＭＯＤＥＭ）１２内の図３に示す自動等化器（ＡＧＣ）７を介して復調部（ＤＥＭ）６に送信され、受信した復調部６において連続トレーニング信号であること検出し、制御部（ＣＯＮＴ）３にその情報が送信される。
【００１２】
制御部（ＣＯＮＴ）３ではその情報（連続トレーニング信号）であることを認識し、復調部（ＭＯＤ）２からトレーニング信号を１回、送出するよう制御する。復調部（ＭＯＤ）２からトレーニング信号が１回、送信アッテネータ（ＡＴＴ）４及び送信ライン５を介して、図３に示すスレーブモデム（Ｓ−ＭＯＤＥＭ）１３に送信される。
【００１３】
そのトレーニング信号を受信した図３に示すスレーブモデム（Ｓ−ＭＯＤＥＭ）１３では、スレーブモデム（Ｓ−ＭＯＤＥＭ）１３内の図３に示す自動等化器（ＡＧＣ）７で再等化され、品質検出回路（ＳＱＤＥＴ）９において発散状態でないのを確認し、この手順により復旧される。
【００１４】
変復調装置の出願例としては、例えば特許文献１などが挙げられる。
【００１５】
【特許文献１】特開２０００−９２１５６号公報
【発明の開示】
【発明が解決しようとする課題】
【００１６】
従来では、連続トレーニング信号によりこの復旧動作に入っているわけであるが、通常のデータの中に、まれであるが、マルチポイントシステムにおける特定パターンにより、トレーニング信号と誤検出してトレーニングモード状態になって、データエラーとなってしまうという欠点がある。
【００１７】
本発明の目的は、上記のような欠点を除去し、マルチポイントシステムにおける特定パターンによる誤動作を防ぎ、モデムの品質の向上を図ることが可能な変復調装置を提供することにある。
【課題を解決するための手段】
【００１８】
本発明は、送信部に白色ノイズを出力することの出来るノイズ発信部と、受信の品質レベルを測る品質検出回路、及び変調部と前記ノイズ発信部と切り換える回路を有することにより、マルチポイントシステムにおける特定パターンによる誤動作を防ぐことを特徴とする。
【発明の効果】
【００１９】
本発明によれば、マルチポイントシステムにおける特定パターンによる誤動作を防ぎ、モデムの品質の向上を図ることが可能な変復調装置を得ることができる。
【発明を実施するための最良の形態】
【００２０】
本発明に係る実施の形態について、説明する。
【００２１】
図１は、本発明による変復調装置の実施の形態のブロック構成を示した図である。図１において、１は変復調装置（以下モデムと称す）、２は変調部（ＭＯＤ）で制御部よりの設定制御をうける。３は制御部（ＣＮＴ）で各ブロックの制御をする。４は送信アッテネータ（ＡＴＴ）で送信レベルを設定する。５は送信ラインで伝送路と接続する。
【００２２】
６は復調部（ＤＥＭ）で制御部よりの設定制御をうける。７は自動等化器（ＡＧＣ）で伝送路の振幅歪を補正する。８は受信ラインで伝送路と接続する。９は品質検出回路（ＳＱＤＥＴ）で自動等化器の状態から回線の品質を検出する。１０はノイズ発信部（ＷＮＯＣ）で白色ノイズを発生送信する。１１はノイズ発信部（ＷＮＯＣ）１０と変調部（ＭＯＤ）２との信号を切り替える切換回路（ＳＥＬ）である。
【００２３】
以下この動作について図１及び図３により説明する。なおこの場合、図３に示すマスターモデム（Ｍ−ＭＯＤＥＭ）１２，スレーブモデム（Ｓ−ＭＯＤＥＭ）１３の内部構成は、上記図１である。
【００２４】
図３に示すスレーブモデム（Ｓ−ＭＯＤＥＭ）１３において、受信ライン８から受信されるデータは、スレーブモデム（Ｓ−ＭＯＤＥＭ）１３内の図１に示す自動等化器（ＡＧＣ）７で等化され、復調部（ＤＥＭ）６に送信され復調される。
【００２５】
一方自動等化器（ＡＧＣ）７からの情報により品質検出回路（ＳＱＤＥＴ）９によって回線の品質を検知する。その情報を制御部（ＣＯＮＴ）３へ送信し、受信した制御部（ＣＯＮＴ）３においてスレーブモデムが発散状態であることを検知したとき、切換回路（ＳＥＬ）１１により変調部（ＭＯＤ）２の出力からノイズ発信部（ＷＮＯＣ）１０の出力に切り換えて、送信アッテネータ（ＡＴＴ）４を介して送信ライン５から図３に示すマスターモデム（Ｍ−ＭＯＤＥＭ）１２へ、白色ノイズを送信する。
【００２６】
図３に示すマスターモデム（Ｍ−ＭＯＤＥＭ）１２においては受信ライン８から白色ノイズを受信する。受信した白色ノイズによりマスターモデム（Ｍ−ＭＯＤＥＭ）１２内の図１に示す自動等化器（ＡＧＣ）７は等化することが出来ずに発散状態になる。自動等化器（ＡＧＣ）７からの情報により品質検出回路（ＳＱＤＥＴ）９によって回線の品質を検知する。
【００２７】
その情報を制御部（ＣＯＮＴ）３へ送信し、制御部（ＣＯＮＴ）３においてマスターモデム（Ｍ−ＭＯＤＥＭ）１２が発散状態であることを検知し、復調部（ＭＯＤ）２からトレーニング信号を１回、送出するよう制御する。
【００２８】
復調部（ＭＯＤ）２からトレーニング信号が１回、復調部（ＭＯＤ）２の出力側へ切り換えられた切換回路（ＳＥＬ）１１を通過し、送信アッテネータ（ＡＴＴ）４及び送信ライン５を介して図３に示すスレーブモデム（Ｓ−ＭＯＤＥＭ）１３に送信される。
【００２９】
そのトレーニング信号を受信した図３に示すスレーブモデム（Ｓ−ＭＯＤＥＭ）１３は、スレーブモデム（Ｓ−ＭＯＤＥＭ）１３内の図１に示す自動等化器（ＡＧＣ）７で再等化され、品質検出回路（ＳＱＤＥＴ）９において発散状態でないことを確認し、白色ノイズを出力する切換回路（ＳＥＬ）１１を復調部（ＭＯＤ）２に切り換える。この手順によりシステムが復旧される。
【図面の簡単な説明】
【００３０】
【図１】本発明による変復調装置の実施の形態のブロック構成を示した図である。
【図２】従来の変復調装置のブロック構成を示した図である。
【図３】マルチポイントシステムの構成を示した図である。
【符号の説明】
【００３１】
１：変復調装置、２：変調部（ＭＯＤ）、３：制御部（ＣＯＮＴ）、４：送信アッテネータ（ＡＴＴ）、５：送信ライン、６：復調部（ＤＥＭ）、７：自動等化器（ＡＧＣ）、８：受信ライン、９：品質検出回路（ＳＱＤＥＴ）、１０：ノイズ発信部（ＷＮＯＣ）、１１：切換回路（ＳＥＬ）、１２：マスターモデム（Ｍ−ＭＯＤＥＭ）、１３：スレーブモデム（Ｓ−ＭＯＤＥＭ）。
【図１】
2007081912.tif 000003
【図２】
2007081912.tif 000004
【図３】
2007081912.tif 000005